(57)【要約】【課題】操作対象者のみでなく、監視対象となる生体の見守り・監視に関わる関係者に、通報する事が出来るシステム。【解決手段】監視対象の生体や環境より得られる計測データー、及び他の生体から収集されたデーターの、値の変化を基に作成された条件式や、最新データーから一定時間、または一定回数過去データーを遡り、上昇群発生頻度と下降群発生頻度を得て条件式化する事、更にデーターの連続上昇（下降）数（時間）を条件式に用いる事により、監視対象の監視内容が同一であっても、個体差により得られる値のばらつきや、時間軸上での変化が一定で無いデーターのばらつきを、吸収して判定する事を可能とし、その条件式を用いた判断に対応する管理者若しくは関係者に、通報内容エディターで作成した内容を、通報する機能を備える。【選択図】図２
2017173938.tif 000002
【特許請求の範囲】
【請求項１】
本システムは、独居老人・痴呆発症者や要介護者に対する見守りにおいて、条件式を判断基準として通報を行う事が可能なシステムで有って、生体や環境より得られる計測データー、及び過去に監視対象の生体や他の生体から収集されたデーターの、値の変化を基に作成された条件式と条件監視上（下）限を設け、双方の条件を判断基準として用いる事と、無条件監視上（下）限を設ける事により、条件式に適合しない場合の、監視項目毎の無条件通報値を設定する事が出来るシステムである。
【請求項２】
本システムは最新データーから一定時間、または一定回数の過去データーを遡り、上昇群発生頻度と下降群発生頻度を得て条件式化する事、更にデーターの連続上昇（下降）数（時間）を条件に用いる事により、生体より得られる情報が同一監視内容であっても、個体差により得られる値のばらつきや、時間軸上での変化が一定で無いデーターのばらつきを、吸収して判定する事を可能とするシステムである。
【請求項３】
請求項１と請求項２において、監視対象設定エディター、条件式エディター、通報内容エディター、通報対象者エディターを有し、監視対象・条件式・通報内容・通報対象者の組み合わせを、任意に構築できるシステムである。
【請求項４】
請求項１と請求項２の監視対象を、一つの監視項目に関する条件式で判定するのみでなく、複数の監視項目に関する条件式の組み合わせで判定を行なえるシステムである。
【請求項５】
請求項１の監視対象を一つでなく、複数設定できるシステムである。
【請求項６】
請求項１と請求項２の条件式は監視対象個別に設定でき、更にその条件式を共通化して、他の監視対象にも利用できるシステムである。
【請求項７】
請求項１と請求項２の通報に至るデーターの変化が近似している場合、そのデーターパターンを、共通化した条件式として保存し、請求項６の共通化した条件式を監視対象別判定テーブルに利用して判定を行う事が出来るシステムである。
【請求項８】
請求項４・請求項５・請求項７を組み合わせて判定を行う事が出来るシステムである。
【発明の詳細な説明】
【技術分野】
【０００１】
この発明は、独居老人・痴呆発症者や要介護者の見守り・監視において、収集した監視対象に関わるデーターを、条件式を用いて判断する事により、その条件式に対応するユーザー又は関係者に、設定した情報を通報する装置及びソフトウエアである。
【背景技術】
【０００２】
現在の生体の見守り・監視・通報システムは、閾値や状態の高低や異常データーで判定する仕組みや、多変量解析を基に通報するシステムは存在するが、個体差によるデーターのばらつきや、時間軸上での変化が一定で無いデーターのばらつきを、吸収して判定するシステムが存在しない。
また同一監視対象に関係しながら、業務を異にする関係者が異なる監視項目について、データーの変化を捉えた任意の条件式で判断して、夫々の立場で必要とする内容の通報を受ける仕組みが存在しない。
また、監視対象個別の条件式を用いて判定する事で、複数の監視対象を同時に管理して通報する仕組みが存在しない。
【先行技術文献】
【特許文献】
【０００３】
【特許文献１】特開2012-150787     監視制御システム
【特許文献２】特開2008-102884     日常生活度解析システム
【特許文献３】特開2005-202810     人身監視システム
【発明の概要】
【発明が解決しようとする課題】
【０００４】
しかし特開2012-150787において、考え方が類似しているものの、プラントに特化しており、生体の見守り・監視・通報システムとなっていない。
【０００５】
更に特開2012-150787は、監視対象により得られる値のばらつきや、時間軸上で変化が一定では無いデーターへの対応を条件式化できていない。
【０００６】
特開2008-102884に於いては、多変量解析を用いて生活状況の異変を通報するシステムとなっており、複数のセンサー状態の変化を多面的に捉えるには有効であるが、ロジックとしては複雑になっており、変化の大きい人体からのデーターを、より多くの関係者に活用をさせるには適さない。
【０００７】
次に特開2005-202810は、受信した異常データーを基に通報するシステムとなっているため、データーの変化を捉えての通報システムになっていない。
【０００８】
生体監視においては、二値判定や閾値、異常データーでの判定が中心であるが、二値判定や閾値での判定、異常データーでの判定では、状態の変化を捉えるには困難な場合が有り、従来の通報システムでは対応できない監視内容が多く存在している。
【０００９】
しかも、状態の変化が類似していても時間軸の長さが異なっており、収集したデーターの値も一定でなく、個体差が有り画一で無い監視対象である生体の、変化を捉えて通報する仕組みが望まれている。
【００１０】
また、複数のセンサー種別項目（以降監視項目と言う）に対し、データーの変化に関する条件式を作成し、その条件式を組み合わせて通報や設定した情報を送信する仕組みがなかった。
【００１１】
その上従来の監視・通報システムは、監視する担当者向けの通報システムとなっており、他の関係者が通報を受けられる仕組みが無かった。
【００１２】
よって本発明は以上の問題を解決するためになされたもので、監視者のみならず、その監視対象の関係者が、監視対象から発生する情報を有効に活用する為のシステムである。
【課題を解決するための手段】
【００１３】
上記目的を達成するための本発明は、生体の見守り・監視・通報システムは、従来から利用されているネットワークの仕組みやＩｏＴ等を利用し、監視対象である生体や環境に取り付けられた、各種データー収集装置やセンサー等を用いて収集された、センサー識別子を持つセンサー情報を、監視項目と共に監視対象と紐づけ、複数の条件式や通報先・通報内容を設定して、新たなデーターが収集された際或は定期的に、条件式に適合する項目の新たに追加されたデーターと、条件式で指定された範囲の保存データーを条件式に当てはめ、条件式に合致した場合、条件式と関連付けられた内容で、登録されている通報対象者に通報する事を特徴とする。
【００１４】
また本発明は、単一監視対象のみの判定を行うのでは無く、複数監視対象のデーターの変化を、監視対象別に設定された条件式と条件式の組み合わせで判定して、夫々の監視対象別に設定された通報対象者に通報する機能を有することを特徴とする。
【００１５】
更に作成された条件式を、監視項目別に共通化した、条件式・通報内容を格納しておき、その条件式を他の監視項目に利用し、条件式の共通化・標準化を行う機能を有することを特徴とする。
【００１６】
複数の条件式を作成しておき、それらの条件式が成り立つ場合、夫々の条件式に紐づけられた管理者及び関係者に通報若しくは設定した情報を連絡する事が出来るものである。
【００１７】
監視対象設定エディター、条件式エディター、通報対象者設定エディターを用い、個別の通報・連絡環境を構築でき、従来の通報システムと異なり、通報には至らなくても、事前の連絡を受ける機能も有するものである。
【発明の効果】
【００１８】
従来の様な閾値管理や画一的な条件管理ではなく、通報を希望する変化状態を条件式にする事により、事前対応を可能にする事や、異なる業種の関係者へ異なる内容で通報する事が可能となる。
【図面の簡単な説明】
【００１９】
【図１】本発明の条件式作成に関わる処理ブロック図である。
【図２】本発明図１で作成された条件式を用いて、判定・通報を行う、処理ブロック図である。を具体的に説明する為の表示画面例である。
【図３】監視対象別に監視項目・条件式・通報内容を設定する、また共通監視項目・条件式・通報内容を設定する画面表示例である。
【図４】図３のデーター表示部の詳細例である。
【図５】監視対象格納部のデーターテーブル構成図である。
【図６】監視対象別監視項目・条件式・通報内容・通報対象者格納部のデーターテーブル構成図である。
【図７】共通監視項目・条件式・通報内容のデーターテーブル構成図である。
【図８】ユーザー格納部のデーターテーブル構成図である。
【図９】監視項目格納部のデーターテーブル構成図である。
【図１０】条件式格納部のテーブル構成図である。
【図１１】通報内容格納部のテーブル構成図である。
【図１２】通報対象者格納部のテーブル構成図である。
【図１３】データー格納部のテーブル構成図である。
【図１４】データーのばらつき吸収と、条件式に付与する無条件上下限値と、センサー固有の上下限値を例として表す。
【図１５】時間軸に対し、監視対象によるばらつきを例として表す。
【図１６】図１５の最新データーから捉えた、上昇群と下降群の捉え方と、時間軸上で上昇（下降）データー数を条件とする捉え方を例として表す。
【発明を実施するための形態】
【００２０】
監視対象から、情報収集装置や多くのセンサー等を用いて送られてくる、ＩＰアドレスや、他の情報収集装置・センサーを識別できる識別情報（センサー識別子と言う）が付与された、データーを受信するものとする。
【００２１】
センサー識別子が付与された受信データーは、センサー識別子格納情報と共に追加保存される。
【００２２】
更に受信したデーターが、監視対象別監視項目・条件式・通報内容・通報対象者連結テーブル格納部内の、監視対象の条件式が作成されている監視項目のデーターである場合、その条件式が成り立つか判定し、成立する場合監視対象別監視項目・条件式・通報内容・通報対象者連結テーブル格納部内の、通報内容を通報対象者に通報を行う。
【００２３】
処理は監視対象からの追加データーに戻り、常にデーターの取り込みとチェックを行う。
【００２４】
監視対象は監視対象名表示部で、監視対象設定エディターを立ち上げる事により、追加・削除等の編集処理を行えるものとする。
【００２５】
監視項目は監視項目表示部で、監視項目設定エディターを立ち上げる事により、追加・削除等の編集処理を行えるものとする。
その際、センサー識別子と監視項目の紐づけも行うものとする。
【００２６】
通報内容は、通報内容エディターを立ち上げる事により、追加・削除等の編集処理を行えるものとする。
【００２７】
通報対象者は、通報対象者エディターを立ち上げる事により、追加・削除等の編集処理を行えるものとする。
【００２８】
条件式は、条件式作成エディターを立ち上げる事により、その監視項目における条件式の作成を行う。
条件式の作成中に、“ｉｆ””ｅｌｓｅ“等の条件演算子や、“ａｎｄ”“ｏｒ”“ｎｏｔ”“ｘｏｒ”等の論理演算子の入力をすると、定数や数式の入力のみで無く、監視項目画面で選択されている監視項目や、別の監視項目にカーソル移動し、新規に選択した監視項目の条件式を作成する事も出来るものである。
【００２９】
以上により、監視対象から各種データー収集装置やセンサー等を用いて収集された情報を用い、監視対象のデーター変化で条件式が成立する状態を検知し、指定された管理者及び関係者に通報若しくは設定した情報を連絡するものである。
【００３０】
《詳細実施形態》
本発明に於いて実施する形態は、監視条件を設定する条件設定部と、監視対象から送られてくるデーターを、保存・監視する為の常時稼働部に分類される。
【００３１】
〈条件設定部〉
監視対象の選択を行い、監視対象名の表示、監視項目の表示と監視項目表示時点でのデーターを表示する。
【００３２】
表示した監視対象画面で、追加・修正したい監視項目が有る場合、監視項目表示部で監視項目設定エディターを立ち上げる。
【００３３】
監視項目設定エディターでは、監視項目名・センサー種別・センサー識別子等の情報を設定できると共に、登録されている監視項目の削除・修正等が出来る。
【００３４】
監視項目表示部で監視項目が選択されると、選択監視項目に関わる条件式・通報内容・通報対象者が表示される。
【００３５】
更に選択監視項目に関わる共通監視項目・条件式・通報内容・通報対象者が表示される。
【００３６】
監視項目表示部で監視項目が選択されると、条件式エディターの立ち上げが可能となり、指定監視項目に於ける条件式の作成が可能となる。
【００３７】
通報内容エディターと、通報対象エディターに関しては、監視項目の選択如何に関わらず、立ち上げて編集処理を可能とする。
【００３８】
監視対象別監視項目・条件式・通報内容・通報対象者エディターを立ち上げ、条件式エディターと通報内容エディター・通報対象エディターで作成した条件式と通報内容、通報対象者を紐づけし、判定から通報迄の一連の処理手順を定義する。
【００３９】
またここで、共通監視項目・条件式・通報内容・通報対象者テーブルから、流用したい項目を選択して、そのままの利用や編集して利用する事を可能とする。
【産業上の利用可能性】
【００４０】
医療介護環境においては、在宅若しくは医療・介護施設で、各種センサーにより収集された、複数の患者や介護対象者の生体情報の変化から、医師や看護師・介護師・自治体担当者・サービス提供企業担当者等、医療・介護に係わる担当者が夫々希望する条件式で、通報・連絡を受け、患者または介護対象者に速やかな対応を取る事が出来る。
【符号の説明】
【００４１】
１・・ユーザー選択：このシステムを用いる（条件式の作成を行うなど）ユーザーを選択する。
２・・監視対象選択：ユーザーが選択された後図３が表示され、その監視対象名表示部で操作、監視対象データー格納部より選択。
新規作成は、４の監視対象設定エディターで行う。
３・・表示部：監視対象が選択された後、その監視対象に関わる情報を表示する。
４・・監視対象設定エディター：新たな監視対象の設定や、監視対象格納部に格納されている監視対象の修正・削除を行う。
５・・監視対象格納部：監視対象設定エディターで作成された監視対象情報を格納する。
６・・監視対象別監視項目・条件式・通報内容・通報対象者エディター：図３の監視項目表示部から立ち上げ、監視項目格納部・通報内容格納部・通報対象者格納部の情報を連結する。
７・・監視対象別監視項目・条件式・通報内容・通報対象者テーブル格納部：監視対象別監視項目・条件式・通報内容・通報対象者エディターで作成したテーブルを格納する。
８・・共通監視項目・条件式・通報内容格納部：６のテーブルで、共通化するテーブルを５で指定し、本格納部に追加する。
９・・監視項目設定エディター：新たな監視項目の設定や、監視項目格納部に格納されている監視項目の修正・削除を行う。
１０・・条件式作成エディター：条件式の作成を行う。
１１・・通報内容エディター：通報内容の編集を行う。
１２・・通報対象者エディター：通報対象者の編集を行う。
１３・・ユーザー格納部：このシステムを用いる（条件式の作成を行う等）ユーザー情報を格納する。
１４・・監視項目格納部：監視項目設定エディターで作成された監視項目を格納する。
１５・・条件式格納部：条件式作成エディターで作成された条件式を格納する。
１６・・通報内容格納部：通報内容エディターで作成された通報内容を格納する。
１７・・通報対象者格納部：通報対象者エディターで作成された通報対象者を格納する。
１８・・監視対象。
１９・・データー収集装置・センサー
２０・・監視対象から各種データー収集装置やセンサー等を用いて収集されたデーター。
２１・・監視対象確認：収集されたデーターのセンサー識別番号が、監視対象別監視項目・条件式・通報内容・通報対象者テーブル格納部内の条件式で指定されているセンサー識別子に合致しているか確認し、データー格納部のテーブルにデーターを格納すると共に、判定部にデーターを送る。
２２・・データー格納部：監視対象の各種装置やセンサー等から送られて来るデーターの保存場所。
２３・・判定部：監視対象別に作成された条件式に、収集されたデーターが、条件式が作成されている監視項目かを確認し、成立する場合はデーター格納部より、条件式で指定されたデーターを当てはめ、条件式が成り立つか判定を行う。
２４・・通報内容・通報対象者指定部：条件式が成立した事を受け、同一テーブルに格納されている通報内容を通報対象者に設定する。
２５・・通報・連絡処理：２３の通報内容・通報対象者指定部で設定した内容を、２４の通報内容・通報対象者指定部で指定された先に出力する。
２６・・監視対象別通報設定画面：監視対象表示部。
今回のシステムを実現させるための表示画面例で、必要な機能を表示させるための画面構成例で、監視対象を表示する場所。
２７・・監視対象別通報設定画面：共通監視項目・条件式・通報内容・通報対象者表示部
この表示部では、他の監視対象と共通化できる監視項目の内容を表示する。
２８・・条件式エディター、通報内容エディター、通報対象エディターにジャンプするボタン。
２９・・監視対象別通報設定画面：監視項目表示部
監視対象別の監視項目を表示する表示部
３０・・監視対象別通報設定画面：データーグラフ表示部
各監視項目の収集データーを時系列にグラフ表示する。
３１・・監視対象別通報設定画面：監視対象別監視項目・条件式・通報内容・通報対象者表示部
監視対象別に監視項目・条件式・通報内容・通報対象者の組み合わせを行い、表示する。
３２・・監視対象別通報設定画面：指定項目カーソル位置
監視対象別監視項目・条件式・通報内容・通報対象者表示部で処理を行う前に、処理指定する監視項目を分かり易く強調表示する。
３１部で条件演算子や論理演算子が入力されると、他の監視項目の選択が可能となり、選択されるとその監視項目も分かり易く強調表示する。
３３・・監視対象格納部：監視対象ナンバー
監視対象を管理する為の管理番号
３４・・監視対象格納部：監視対象名
監視対象別通報設定画面上の監視対象表示部に分かり易く表示する為の監視対象の固有名称
３５・・監視対象格納部：対象属性
対象が人であれば、生年月日・性別・住所・電話番号等、建設物であれば、建設物名称・完成年月日・場所・管理会社・責任者等。
３６・・監視対象別監視項目・条件式・通報内容・通報対象者連結テーブル格納部：監視対象ナンバー
ここに保存される監視対象別監視項目・条件式・通報内容・通報対象者が、この監視対象のものである事を表す番号。
３７・・監視対象別監視項目・条件式・通報内容・通報対象者連結テーブル格納部：監視項目ナンバー
監視対象別の監視項目を特定する番号で、４８を指す。
３８・・監視対象別監視項目・条件式・通内容・通報対象者連結テーブル格納部：条件式ナンバー
特定監視対象内の特定監視項目の条件式を指し示す番号で、５２を指す。
３９・・監視対象別監視項目・条件式・通報内容・通報対象者連結テーブル格納部：通報内容ナンバー
条件式が成立した時に通報する通報内容を指し示す番号で、５６を指す。
４０・・監視対象別監視項目・条件式・通報内容・通報対象者連結テーブル格納部：通報対象者ナンバー
条件式が成立した時に通報する通報対象を指し示す番号で、５８を指す。
４１・・共通監視項目・条件式・通報内容格納部：監視項目ナンバー
共通化する監視項目・条件式・通報内容群を識別する番号で、４８を指す。
４２・・共通監視項目・条件式・通報内容格納部：条件式ナンバー
共通化させた条件式を指し示す番号で、５２を指す。
４３・・共通監視項目・条件式・通報内容格納部：通報内容ナンバー
共通化させた通報内容を指し示す番号で、５６を指す。
４４・・ユーザー格納部：ユーザーナンバー
このシステムを用いる事が出来るユーザーを登録しておく番号。
４５・・ユーザー格納部：ユーザー名
このシステムを用いる事が出来るユーザー名を重複なしで登録しておく。
４６・・ユーザー格納部：ユーザー属性
組織、職種等そのユーザーが何処の誰なのかを明確に分かるようにする。
４７・・ユーザー格納部：ユーザー権限
データー参照権限、条件式等作成権限等、このシステムを用いる時の権限を設定する。
４８・・監視項目格納部：監視項目ナンバー
監視項目を特定する番号
４９・・監視項目格納部：センサー識別子
監視対象に取り付けられた各種データー収集装置や、センサー等を特定する番号（例：ＩＰアドレス等）。
５０・・監視項目格納部：監視項目名
監視対象に取り付けられた各種データー収集装置や、センサー等を特定する名称
５１・・監視項目格納部：項目属性
数値／ＯＮ・ＯＦＦ、計測上限値、計測下限値等、データー収集装置やセンサーの特性
５２・・条件式格納部：条件式ナンバー
作成した条件式を特定する為の番号
５３・・条件式格納部：センサー識別子
条件式に用いられるセンサー識別子
５４・・条件式格納部：条件式
センサー識別子で指定された監視項目のデーターを用いた式で、“ａｎｄ”“ｏｒ”“ｎｏｔ”“ｘｏｒ”等の論理演算子を用いて条件式の作成を行う。
また異なるセンサー識別子で指定された監視項目の条件式も含められるようにする。
５５・・条件式格納部：条件・論理演算子
５４で作成された条件式を、“ｉｆ”“ｔｈｅｎ””ｅｌｓｅ“等の条件演算子を用いて接続する。
また異なるセンサー識別子で指定された監視項目の条件式も含められるようにする。
５６・・通報内容格納部：通報内容ナンバー
通報内容を指し示す番号
５７・・通報内容格納部：通報内容
通報対象者に通報する内容や、制御対象に制御を加えるための制御内容
５８・・通報対象者格納部：通報対象ナンバー
通報対象者を指し示す番号
５９・・通報対象者格納部：通報対象者
通報内容や制御内容を送る通報対象者の名前や名称
６０・・通報対象者格納部：通報対象者属性
通報内容や制御内容を送る通報対象者のメールアドレス・住所・連絡先・監視対象との関わり等
６１・・データー格納部：センサー識別子
監視対象から各種データー収集装置やセンサー等を用いて収集されたデーターに付与されている固有番号。
６２・・データー格納部：データー
ＯＮ・ＯＦＦ情報や数値情報等、各種データー収集装置やセンサー等を用いて収集された実データー
６３・・データー格納部：時刻
各種データー収集装置やセンサー等を用いてデーター収集された時刻
６４・・データー格納部：属性
時刻以外のデーターに付属の属性
６５・・図３・図４でデーター表示部に表示されるデーターの、条件式作成時のデーター取り扱いを示す。
【図１】
2017173938.tif 000003
【図２】
2017173938.tif 000004
【図３】
2017173938.tif 000005
【図４】
2017173938.tif 000006
【図５】
2017173938.tif 000007
【図６】
2017173938.tif 000008
【図７】
2017173938.tif 000009
【図８】
2017173938.tif 000010
【図９】
2017173938.tif 000011
【図１０】
2017173938.tif 000012
【図１１】
2017173938.tif 000013
【図１２】
2017173938.tif 000014
【図１３】
2017173938.tif 000015
【図１４】
2017173938.tif 000016
【図１５】
2017173938.tif 000017
【図１６】
2017173938.tif 000018